(57)【要約】【課題】            既に店内で入手した商品を精算する顧客が、追加して購入しようとする類の商品が無人システムのカウンターでは一切用意される事がなくなってしまうという点である。【解決手段】        レジカウンターは一部にストッカーの収納スペースを設け、その収納スペースに商品の載置もしくは取り付け部を有し、下面にキャスターを有するストッカーを出入自在に配備してあることとし、前記した収納スペースは天板を有し、かつ、その収納スペースの反対側には可動とした棚が設けられていることとする。【選択図】          図１
2009211247.tif 000002
【特許請求の範囲】
【請求項１】
一部にストッカーの収納スペースを設け、その収納スペースに商品の載置もしくは取り付け部を有し、下面にキャスターを有するストッカーを出入自在に配備してあることを特徴とするレジカウンター。
【請求項２】
前記した収納スペースは天板を有し、かつ、その収納スペースの反対側には可動とした棚が設けられていることを特徴とする請求項１に記載のレジカウンター。
【請求項３】
前記したストッカーは雑誌を並設載置する斜状の棚板（マガジンラック）を複数段備えていることを特徴とする請求項１または請求項２に記載のレジカウンター。
【請求項４】
前記したストッカーには複数部の新聞を束にし、二折りして並設収納する新聞立てを備えていることを特徴とする請求項１または請求項２に記載のレジカウンター。
【請求項５】
前記したストッカーにはガム等の菓子類やポケットティッシュ等の小物を分類して収納できるケージを備えていることを特徴とする請求項１または請求項２に記載のレジカウンター。
【発明の詳細な説明】
【技術分野】
【０００１】
本発明はレジカウンター、特にコンビニエンスストアを主対象としスーパーマーケットや量販店におけるレジカウンターに関し、さらにはオペレータを排した無人の自動精算式のレジカウンターに関する。
【背景技術】
【０００２】
近時、コンビニエンスストアをはじめスーパーマーケットや量販店にあってはレジからオペレータを排除して、顧客が自ら店内で入手した商品の代金をカードもしくは自動精算機を利用して精算を行なうシステムを導入する事が多くなってきている。
【０００３】
このシステムのレジカウンターは従前のシステムと同様に、前記した精算システムに続いて、商品を持ち帰るため袋等に詰め替えるテーブルが用意され、このテーブルには生鮮食品を入れるタイミーの収納部やプラスチック製のスプーン、フォーク、割り箸等の収納部や主としてレシートを投入するためのゴミ箱等も付設されている。
【０００４】
しかしながら、この無人タイプのレジカウンターにあっては、従前購入商品を運搬してきた顧客が、このレジカウンターに設備してある別途の商品を追加して購入する機会がなくなってしまい、店舗側としても売り上げに影響を及ぼし、また、顧客側も再び店内に戻って商品を取ってこなければならない面倒が生じてしまうこととなる。
【特許文献１】出願人は、本願発明に関して先行する技術文献を調査したが、格別に本願発明と関連し、類似すると思われる文献を発見することはできなかった。
【発明の開示】
【発明が解決しようとする課題】
【０００５】
本発明が解決しようとする問題点は、既に店内で入手した商品を精算する顧客が、追加して購入しようとする類の商品が無人システムのカウンターでは一切用意される事がなくなってしまうという点である。
【課題を解決するための手段】
【０００６】
この問題点を解決するために、本発明に係るレジカウンターは一部にストッカーの収納スペースを設け、その収納スペースに商品の載置もしくは取り付け部を有し、下面にキャスターを有するストッカーを出入自在に配備してあることを特徴とし、前記した収納スペースは天板を有し、かつ、その収納スペースの反対側には可動とした棚が設けられていることを特徴としている。
【０００７】
また、本発明に係るレジカウンターは前記したストッカーは雑誌を並設載置する斜状の棚板（マガジンラック）を複数段備えていることを特徴とし、前記したストッカーには複数部の新聞を束にし、二折りして並設収納する新聞立てを備えていることを特徴とし、前記したストッカーにはガム等の菓子類やポケットティッシュ等の小物を分類して収納できるケージを備えていることを特徴としている。
【発明の効果】
【０００８】
本発明に係るレジカウンターは上記のように構成されている。そのため、例えば、新聞や雑誌等の定期刊行物をはじめ、ガムやキャンディ等の菓子類、タバコ等の商品を並べておく事ができ、顧客も手軽にこれらの商品を一部、一個単位で手軽に購入する事ができ、店舗側も売り上げを伸ばす事ができることとなる。そして、特に繁忙時には、顧客は精算者の列に並ぶことなく、あるいは並んでも少数で済み、オペレータとの対応もなく、短時間で、弁当やおにぎり、パン、カップ麺等のコンビニエンスストアの主力製品もスピーディな早期の精算を行なう事ができ、店舗側としては特に必要のない人件費を削減する事ができる。
【０００９】
また、前記した商品を陳列するためストッカーはキャスター付の為、手軽に移動できて、商品の補充や入れ変えも容易に行なう事ができ、そのストッカーは天板を有する収納スペースに精度良く収められるので、見栄えも良く、商品の陳列を整理して行なうことができることとなる。そして、このストッカーの移動による収納スペースへの出入は時間帯によって異なる売れ筋の商品を適宜変更して時間差で入れ替えることを可能とする。
【発明を実施するための最良の形態】
【００１０】
図面として示し、実施例で説明したように構成することで実現した。
【実施例】
【００１１】
次に、本発明の好ましい実施の例を図面を参照して説明する。図１は本発明を実施したレジカウンターを示す斜視図、図２は同じく第一のストッカーを示す正面図、図３は同じく側面図、図４は同じく第二のストッカーを示す正面図、図５は同じく側面図、図６は同じく第三のストッカーを示す正面図、図７は同じく側面図、図８は同じく収納状態を示す正面図、図９は同じく側面図、図１０は同じく背面図である。
【００１２】
これらの図にあって１はレジカウンター本体を示している。このレジカウンター本体１は複数台の専用台２ａ、２ｂを横方向に連結したものとなっており、この連結は各専用台２ａ、２ｂの底部脚体に形成される連結穴を介して固定され、さらに、その専用台２ａ、２ｂを連結し、一組の専用台２としたものをさらに長手方向に一体的に連結したものである。
【００１３】
この専用台２はサイドパネル３、３と、このサイドパネル３、３を上端部で連結する天板４を有している。専用台２ａには自動精算のための機器と、その機器の背面側には上下方向への枢動扉５が設けられ、この枢動扉５の内部にはタイミーの収納引き出し部６、パックされたプラスチック製のスプーン、フォーク、ストロー、割り箸等の収納部７が備えられ、その最側部には特にレシート用のゴミ箱も備えられている。
【００１４】
また、専用台２ｂは内部の略中央に間仕切り８が設けられ、その間仕切り８を境として一方が後述するストッカーの収納スペース９となっており、背面側は可動式の棚１０、１０‥及び最上部分に複数の多目的な引き出し１１、１１‥が備えられている。
【００１５】
前記した収納スペース９には、例えば図２乃至図７として示すような種々のタイプとしたストッカーが収納されることとなる。図２、図３として示す第一のストッカー１２は一対の側板１２ａ、１２ａと背板１２ｂ及び底板１２ｃを有しており、底板１２ｃには移送用のキャスター１３、１３‥が備えられている。
【００１６】
この第一のストッカー１２は各種の雑誌を並べることを主目的としたもので、複数段の前方へ傾斜させた陳列棚１４、１４を有している。いわゆるマガジンラックとして利用されるが、雑誌のほかにもページ数の少ない競馬新聞等の専門紙も折り畳み状態で並べる事が出来る。
【００１７】
また、図４、図５として示すのは第二のストッカー１５であり、この第二のストッカー１５も一対の側板と背板及び底板を有し、その底板には移送用のキャスターが備えられている。この第二のストッカー１５は複数部の新聞を二折りして、複数種を立て並べる新聞スタンド１６を有するものとなっており、一般新聞のほか、スポーツ紙等を並べる事ができる。
【００１８】
さらに、図６、図７として示すのは第三のストッカー１７であり、この第三のストッカー１７は少なくとも背板と底板を有し、その底板には移送用のキャスターが備えられている。この第三のストッカー１７は底板上にケージ１８を有しているもので、このケージ１８内に単品としてのガムや箱入り、袋入りのスナック、チョコレートやキャンディ等の菓子類をはじめ、ポケットティッシュ等の小物を収納しておく事ができる。
【００１９】
これらのストッカー１２、１５、１７は収納スペース９にあっては背板を間仕切り８側として押し入れ、商品が開放された前面に向くように収納される。これによって、商品は顧客の目に付き易くなり、気付くことで誘われ追加購入する機会が増えていくこととなる。
【００２０】
そして、図１として示すレジカウンターに設けられる複数の収納スペース９、９、９に各々別途のストッカー１２、１５、１７を収納してやることで商品のバラエティも富むこととなる。
【産業上の利用可能性】
【００２１】
本発明に係るレジカウンターは上記のように構成されている。実施例では三種類のストッカーを示したが、勿論これにこだわるものではなく、ストッカーに小棚を形成して、タバコやライター、栄養ドリンクや各種サプリメントの陳列をする事ができ、陳列したい商品に合わせた形態の陳列手段を形成させる事ができる。
【図面の簡単な説明】
【００２２】
【図１】本発明を実施したレジカウンターを示す斜視図である。
【図２】第一のストッカーを示す正面図である。
【図３】側面図である。
【図４】第二のストッカーを示す正面図である。
【図５】側面図である。
【図６】第三のストッカーを示す正面図である。
【図７】側面図である。
【図８】収納状態を示す正面図である。
【図９】側面図である。
【図１０】背面図である。
【符号の説明】
【００２３】
１    レジカウンター
２    専用台
２ａ  専用台
２ｂ  専用台
３    側板
４    天板
５    枢動扉
６    タイミーの収納引き出し部
７    収納部
８    間仕切り
９    収納スペース
１０  棚
１１  引き出し
１２  第一のストッカー
１３  キャスター
１４  陳列棚
１５  第二のストッカー
１６  新聞スタンド
１７  第三のストッカー
１８  ケージ
【図１】
2009211247.tif 000003
【図２】
2009211247.tif 000004
【図３】
2009211247.tif 000005
【図４】
2009211247.tif 000006
【図５】
2009211247.tif 000007
【図６】
2009211247.tif 000008
【図７】
2009211247.tif 000009
【図８】
2009211247.tif 000010
【図９】
2009211247.tif 000011
【図１０】
2009211247.tif 000012